(57)【要約】      （修正有）【課題】尖った部分を完全に収めることができ携帯して外出する時に使用者を傷つけにくく携帯しやすいフォークを提供する。【解決手段】フォーク装置１０２は前記フォークのヘッドを含み、フォークのヘッドが回転してラーメンを巻き上げることができる。回転器２８の下端には下方へ開口したフォークチャンバが設置される。ハンドル２１の下端壁には開閉スライド溝３７が左右対称的に設置され、開閉スライド溝３７の中にはオフ装置１０３が設置され、オフ装置１０３は前記フォークのヘッドを収めることができる。【選択図】図１
2020175144.tif 000002
【特許請求の範囲】
【請求項１】
正面視で、ハンドルとフォークのヘッドを含み、前記ハンドルの中には伸縮チャンバが設置され、前記伸縮チャンバの中には回転装置が設置され、前記回転装置は前記ハンドルにより下方へ移動し、前記フォークのヘッドを連動させて回転させ、長ブロックの中には伸縮チャンバが設置され、前記伸縮チャンバの内壁にはネジ山溝が設置され、前記長ブロックの下端には回転器が設置され、前記回転器の中には長スライド溝が設置され、前記長スライド溝の左右端壁には位置制限溝が対称的に設置され、前記長ブロックの下端面には台形環状溝が左右対称的に設置され、前記長ブロックの下端面には回転外殻が設置され、前記回転器の中にはフォーク装置が設置され、前記フォーク装置は前記フォークのヘッドを含み、前記フォークのヘッドが回転してラーメンを巻き上げることができ、前記回転器の下端には下方へ開口したフォークチャンバが設置され、前記フォークチャンバの上端壁には固定スライド溝が設置され、前記固定スライド溝のうち前記フォークチャンバの中心から離れている端壁には台形ブロック引っ掛かり溝が設置され、前記台形ブロック引っ掛かり溝のうち前記フォークチャンバの中心から離れている端壁には弧状溝が設置され、二つの前記弧状溝が中心対称であり、前記ハンドルの下端壁には開閉スライド溝が左右対称的に設置され、前記開閉スライド溝の中にはオフ装置が設置され、前記オフ装置は前記フォークのヘッドを収めることができることを特徴とする携帯しやすいフォーク。
【請求項２】
前記回転装置は作動軸を含み、前記作動軸は前記伸縮チャンバの上端壁と回転できるように連結され、前記伸縮チャンバの中には前記長ブロックがスライドできるように連結され、前記作動軸はそれぞれ前記長ブロックの上下端面と、前記回転溝の上下端壁と、前記回転器とスライドできるように連結され、前記長ブロックと前記伸縮チャンバの上端壁にはそれぞれ回転バネが左右対称的に設置され、前記作動軸の上端には連接ロッドが設置され、前記連接ロッドの両端には前記ネジ山溝とスライドできるように連結されている回転球が設置され、前記作動軸が下方へ運動する時、前記回転球は前記回転器の中で螺旋状に下降し、前記作動軸を連動させて回転させ、前記回転器は前記長ブロックと回転できるように連結され、前記作動軸の下端の左右端には前記位置制限溝とスライドできるように連結されている位置制限ブロックが対称的に設置され、これによりフォークを連動させて回転させることを特徴とする請求項１に記載の携帯しやすいフォーク。
【請求項３】
前記フォーク装置はＴ型ブロックを含み、前記Ｔ型ブロックは前記回転外殻と固定的に連結され、前記Ｔ型ブロックは前記台形環状溝と回転できるように連結され、前記フォークチャンバの上端壁には短ロッドが設置され、前記短ロッドの左右両端には引っ掛かりブロックスライド溝が対称的に設置され、前記フォークチャンバの中にはフォークブロックがスライドできるように連結され、前記フォークブロックの中には内チャンバが設置され、前記内チャンバの左右端壁には前記引っ掛かりブロックスライド溝とスライドできるように連結されている引っ掛かりブロックが対称的に設置され、前記引っ掛かりブロックと前記引っ掛かりブロックスライド溝との間にはフォークバネが連結され、フォークバネの弾力は回転バネの弾力より遥かに大きく、前記フォークブロックの下端面は四つの前記フォークのヘッドと固定的に連結され、前記フォークブロックの上端面には固定ブロックが左右対称的に設置され、前記固定ブロックの中には台形スライド溝が設置され、前記台形スライド溝は台形スライダとスライドできるように連結され、前記台形スライダと前記台形スライド溝との間には台形ブロックバネが連結され、前記固定ブロックは前記固定スライド溝とスライドできるように連結されることができ、前記台形スライダは前記台形ブロック引っ掛かり溝とスライドできるように連結されることができ、前記弧状溝の中には環状溝ブロックが設置され、前記台形スライダは前記台形ブロック引っ掛かり溝の中に引っ掛かる時、前記回転外殻を回転させて前記台形スライダを前記台形ブロック引っ掛かり溝から押し出すことができ、その作用はフォークを取り出すことであることを特徴とする請求項１に記載の携帯しやすいフォーク。
【請求項４】
前記オフ装置はバネブロックを含み、前記バネブロックと開閉スライド溝との間には復帰バネが連結され、前記バネブロックと前記磁石ブロックとの間にはヒンジ軸がヒンジにより連結され、前記磁石ブロックの下端には磁石が設置され、前記長ブロックは完全に前記伸縮チャンバの中にある時、前記磁石ブロックを引き出し、前記磁石により前記長ブロックを完全に遮り、その作用はフォークを収めて携帯に便利を与えることであることを特徴とする請求項１に記載の携帯しやすいフォーク。
【発明の詳細な説明】
【技術分野】
【０００１】
本発明は食器分野を取り上げて、具体的には携帯しやすいフォークである。
【背景技術】
【０００２】
目下、外出する時にカップラーメンを食べる時、カップラーメンのフォークは使いにくく、伝統的なフォークは手動でラーメンに入れ、そしてフォークを回転させてラーメンを撹拌し、次に口に入れ、この操作は面倒であり、フォークを回転し続ける必要があり、子供にとって操作しにくく、普通のフォークを携帯して外出する時、尖った部分は人を傷つけがちである。
【先行技術文献】
【特許文献】
【０００３】
【特許文献１】中国特許出願公開第１０６４７３５４８号明細書
【発明の概要】
【発明が解決しようとする課題】
【０００４】
本発明は携帯しやすいフォークを提供し、上記背景技術において提出された問題を解決することを目的とする。
【課題を解決するための手段】
【０００５】
上記の目的を実現するために、本発明は以下の技術プランを提供する：携帯しやすいフォークは、ハンドルとフォークのヘッドを含み、前記ハンドルの中には伸縮チャンバが設置され、前記伸縮チャンバの中には回転装置が設置され、前記回転装置は前記ハンドルにより下方へ移動し、前記フォークのヘッドを連動させて回転させ、長ブロックの中には伸縮チャンバが設置され、前記伸縮チャンバの内壁にはネジ山溝が設置され、前記長ブロックの下端には回転器が設置され、前記回転器の中には長スライド溝が設置され、前記長スライド溝の左右端壁には位置制限溝が対称的に設置され、前記長ブロックの下端面には台形環状溝が左右対称的に設置され、前記長ブロックの下端面には回転外殻が設置され、前記回転器の中にはフォーク装置が設置され、前記フォーク装置は前記フォークのヘッドを含み、前記フォークのヘッドが回転してラーメンを巻き上げることができ、前記回転器の下端には下方へ開口したフォークチャンバが設置され、前記フォークチャンバの上端壁には固定スライド溝が設置され、前記固定スライド溝のうち前記フォークチャンバの中心から離れている端壁には台形ブロック引っ掛かり溝が設置され、前記台形ブロック引っ掛かり溝のうち前記フォークチャンバの中心から離れている端壁には弧状溝が設置され、二つの前記弧状溝が中心対称であり、前記ハンドルの下端壁には開閉スライド溝が左右対称的に設置され、前記開閉スライド溝の中にはオフ装置が設置され、前記オフ装置は前記フォークのヘッドを収めることができる。
【０００６】
好ましくは、前記回転装置は作動軸を含み、前記作動軸は前記伸縮チャンバの上端壁と回転できるように連結され、前記伸縮チャンバの中には前記長ブロックがスライドできるように連結され、前記作動軸はそれぞれ前記長ブロックの上下端面と、前記回転溝の上下端壁と、前記回転器とスライドできるように連結され、前記長ブロックと前記伸縮チャンバの上端壁にはそれぞれ回転バネが左右対称的に設置され、前記作動軸の上端には連接ロッドが設置され、前記連接ロッドの両端には前記ネジ山溝とスライドできるように連結されている回転球が設置され、前記作動軸が下方へ運動する時、前記回転球は前記回転器の中で螺旋状に下降し、前記作動軸を連動させて回転させ、前記回転器は前記長ブロックと回転できるように連結され、前記作動軸の下端の左右端には前記位置制限溝とスライドできるように連結されている位置制限ブロックが対称的に設置され、これによりフォークを連動させて回転させる。
【０００７】
好ましくは、前記フォーク装置はＴ型ブロックを含み、前記Ｔ型ブロックは前記回転外殻と固定的に連結され、前記Ｔ型ブロックは前記台形環状溝と回転できるように連結され、前記フォークチャンバの上端壁には短ロッドが設置され、前記短ロッドの左右両端には引っ掛かりブロックスライド溝が対称的に設置され、前記フォークチャンバの中にはフォークブロックがスライドできるように連結され、前記フォークブロックの中には内チャンバが設置され、前記内チャンバの左右端壁には前記引っ掛かりブロックスライド溝とスライドできるように連結されている引っ掛かりブロックが対称的に設置され、前記引っ掛かりブロックと前記引っ掛かりブロックスライド溝との間にはフォークバネが連結され、フォークバネの弾力は回転バネの弾力より遥かに大きく、前記フォークブロックの下端面は四つの前記フォークのヘッドと固定的に連結され、前記フォークブロックの上端面には固定ブロックが左右対称的に設置され、前記固定ブロックの中には台形スライド溝が設置され、前記台形スライド溝は台形スライダとスライドできるように連結され、前記台形スライダと前記台形スライド溝との間には台形ブロックバネが連結され、前記固定ブロックは前記固定スライド溝とスライドできるように連結されることができ、前記台形スライダは前記台形ブロック引っ掛かり溝とスライドできるように連結されることができ、前記弧状溝の中には環状溝ブロックが設置され、前記台形スライダは前記台形ブロック引っ掛かり溝の中に引っ掛かる時、前記回転外殻を回転させて前記台形スライダを前記台形ブロック引っ掛かり溝から押し出すことができ、その作用はフォークを取り出すことである。
【０００８】
好ましくは、前記オフ装置はバネブロックを含み、前記バネブロックと開閉スライド溝との間には復帰バネが連結され、前記バネブロックと前記磁石ブロックとの間にはヒンジ軸がヒンジにより連結され、前記磁石ブロックの下端には磁石が設置され、前記長ブロックは完全に前記伸縮チャンバの中にある時、前記磁石ブロックを引き出し、前記磁石により前記長ブロックを完全に遮り、その作用はフォークを収めて携帯に便利を与えることである。
【発明の効果】
【０００９】
以上のように、本発明の有益的な効果は：本装置は上下に押し出すことによりラーメンの取ることを自動的に完成し、伝統的なフォークでラーメンを食べる時に操作が面倒である欠点を解消でき、同時に本装置は尖った部分を完全に収めることができ、本装置を携帯して外出する時に使用者を傷つけにくく、本装置は機械の伝動の協働により、ミスが出る可能性を低下させることができる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の携帯しやすいフォークの正面構成模式図
【図２】図２は本発明の図１のＡの局部拡大図
【図３】図３は本発明の図１のＢ−Ｂ方向の断面図
【図４】図４は本発明の図１の中の右側の台形スライダの上面図
【図５】図５は本発明の全体構造模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜５を参照し、本発明の提供する実施例の 携帯しやすいフォークは：ハンドル２１とフォークのヘッド４７を含み、前記ハンドル２１の中には伸縮チャンバ２２が設置され、前記伸縮チャンバ２２の中には回転装置１０１が設置され、前記回転装置１０１は前記ハンドル２１により下方へ移動し、前記フォークのヘッド４７を連動させて回転させ、長ブロック２３の中には伸縮チャンバ２２が設置され、前記伸縮チャンバ２２の内壁にはネジ山溝３８が設置され、前記長ブロック２３の下端には回転器２８が設置され、前記回転器２８の中には長スライド溝３１が設置され、前記長スライド溝３１の左右端壁には位置制限溝３０が対称的に設置され、前記長ブロック２３の下端面には台形環状溝５５が左右対称的に設置され、前記長ブロック２３の下端面には回転外殻５８が設置され、前記回転器２８の中にはフォーク装置１０２が設置され、前記フォーク装置１０２は前記フォークのヘッド４７を含み、前記フォークのヘッド４７が回転してラーメンを巻き上げることができ、前記回転器２８の下端には下方へ開口したフォークチャンバ４２が設置され、前記フォークチャンバ４２の上端壁には固定スライド溝５２が設置され、前記固定スライド溝５２のうち前記フォークチャンバ４２の中心から離れている端壁には台形ブロック引っ掛かり溝５３が設置され、前記台形ブロック引っ掛かり溝５３のうち前記フォークチャンバ４２の中心から離れている端壁には弧状溝５４が設置され、二つの前記弧状溝５４が中心対称であり、前記ハンドル２１の下端壁には開閉スライド溝３７が左右対称的に設置され、前記開閉スライド溝３７の中にはオフ装置１０３が設置され、前記オフ装置１０３は前記フォークのヘッド４７を収めることができる。
【００１５】
有益的には、前記回転装置１０１は作動軸３９を含み、前記作動軸３９は前記伸縮チャンバ２２の上端壁と回転できるように連結され、前記伸縮チャンバ２２の中には前記長ブロック２３がスライドできるように連結され、前記作動軸３９はそれぞれ前記長ブロック２３の上下端面と、前記回転溝２４の上下端壁と、前記回転器２８とスライドできるように連結され、前記長ブロック２３と前記伸縮チャンバ２２の上端壁にはそれぞれ回転バネ４０が左右対称的に設置され、前記作動軸３９の上端には連接ロッド２６が設置され、前記連接ロッド２６の両端には前記ネジ山溝３８とスライドできるように連結されている回転球２５が設置され、前記作動軸３９が下方へ運動する時、前記回転球２５は前記回転器２８の中で螺旋状に下降し、前記作動軸３９を連動させて回転させ、前記回転器２８は前記長ブロック２３と回転できるように連結され、前記作動軸３９の下端の左右端には前記位置制限溝３０とスライドできるように連結されている位置制限ブロック２９が対称的に設置され、これによりフォークを連動させて回転させる。
【００１６】
有益的には、前記フォーク装置１０２はＴ型ブロック４１を含み、前記Ｔ型ブロック４１は前記回転外殻５８と固定的に連結され、前記Ｔ型ブロック４１は前記台形環状溝５５と回転できるように連結され、前記フォークチャンバ４２の上端壁には短ロッド５１が設置され、前記短ロッド５１の左右両端には引っ掛かりブロックスライド溝５０が対称的に設置され、前記フォークチャンバ４２の中にはフォークブロック４８がスライドできるように連結され、前記フォークブロック４８の中には内チャンバ６０が設置され、前記内チャンバ６０の左右端壁には前記引っ掛かりブロックスライド溝５０とスライドできるように連結されている引っ掛かりブロック４９が対称的に設置され、前記引っ掛かりブロック４９と前記引っ掛かりブロックスライド溝５０との間にはフォークバネ５９が連結され、フォークバネ５９の弾力は回転バネ４０の弾力より遥かに大きく、前記フォークブロック４８の下端面は四つの前記フォークのヘッド４７と固定的に連結され、前記フォークブロック４８の上端面には固定ブロック４６が左右対称的に設置され、前記固定ブロック４６の中には台形スライド溝４４が設置され、前記台形スライド溝４４は台形スライダ４３とスライドできるように連結され、前記台形スライダ４３と前記台形スライド溝４４との間には台形ブロックバネ４５が連結され、前記固定ブロック４６は前記固定スライド溝５２とスライドできるように連結されることができ、前記台形スライダ４３は前記台形ブロック引っ掛かり溝５３とスライドできるように連結されることができ、前記弧状溝５４の中には環状溝ブロック５６が設置され、前記台形スライダ４３は前記台形ブロック引っ掛かり溝５３の中に引っ掛かる時、前記回転外殻５８を回転させて前記台形スライダ４３を前記台形ブロック引っ掛かり溝５３から押し出すことができ、その作用はフォークを取り出すことである。
【００１７】
有益的には、前記オフ装置１０３はバネブロック３５を含み、前記バネブロック３５と開閉スライド溝３７との間には復帰バネ３６が連結され、前記バネブロック３５と前記磁石ブロック３３との間にはヒンジ軸３４がヒンジにより連結され、前記磁石ブロック３３の下端には磁石３２が設置され、前記長ブロック２３は完全に前記伸縮チャンバ２２の中にある時、前記磁石ブロック３３を引き出し、前記磁石３２により前記長ブロック２３を完全に遮り、その作用はフォークを収めて携帯に便利を与えることである。
【００１８】
使用する時、ハンドル２１を持ってラーメンに挿し、フォークのヘッド４７は皿に当接し、そしてハンドル２１を下方へ押し、作動軸３９が下方へ移動して連接ロッド２６により回転球２５を連動させてネジ山溝３８の中で回転させ、これにより作動軸３９を回転させ、作動軸３９は位置制限ブロック２９により回転器２８を連動させて回転させ、これにより短ロッド５１と、フォークブロック４８と、フォークのヘッド４７とを連動させて回転させてラーメンを巻き上げ、携帯する時、フォークのヘッド４７を上方へ推し、これにより台形スライダ４３を台形ブロック引っ掛かり溝５３に引っ掛からせ、そして回転器２８を伸縮チャンバ２２の中に引っ掛からせ、そして磁石ブロック３３とバネブロック３５とを引き出し、磁石ブロック３３を回転させて磁石３２により長ブロック２３を完全に遮り、使用する時、磁石３２を引き動かし、回転器２８を弾き出し、そして回転外殻５８を回転させ、環状溝ブロック５６により台形スライダ４３を台形ブロック引っ掛かり溝５３から押し出し、フォークのヘッド４７は自動的に弾きだされる。
【００１９】
本発明の有益的な効果は：本装置は上下に押し出すことによりラーメンの取ることを自動的に完成し、伝統的なフォークでラーメンを食べる時に操作が面倒である欠点を解消でき、同時に本装置は尖った部分を完全に収めることができ、本装置を携帯して外出する時に使用者を傷つけにくく、本装置は機械の伝動の協働により、ミスが出る可能性を低下させることができる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175144.tif 000003
【図２】
2020175144.tif 000004
【図３】
2020175144.tif 000005
【図４】
2020175144.tif 000006
【図５】
2020175144.tif 000007
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
正面視で、ハンドルとフォークのヘッドを含み、前記ハンドルの中には伸縮チャンバが設置され、前記伸縮チャンバの中には回転装置が設置され、前記回転装置は前記ハンドルにより下方へ移動し、前記フォークのヘッドを連動させて回転させ、長ブロックの中には伸縮チャンバが設置され、前記伸縮チャンバの内壁にはネジ山溝が設置され、前記長ブロックの下端には回転器が設置され、前記回転器の中には長スライド溝が設置され、前記長スライド溝の左右端壁には位置制限溝が対称的に設置され、前記長ブロックの下端面には台形環状溝が左右対称的に設置され、前記長ブロックの下端面には回転外殻が設置され、前記回転器の中にはフォーク装置が設置され、前記フォーク装置は前記フォークのヘッドを含み、前記フォークのヘッドが回転してラーメンを巻き上げることができ、前記回転器の下端には下方へ開口したフォークチャンバが設置され、前記フォークチャンバの上端壁には固定スライド溝が設置され、前記固定スライド溝のうち前記フォークチャンバの中心から離れている端壁には台形ブロック引っ掛かり溝が設置され、前記台形ブロック引っ掛かり溝のうち前記フォークチャンバの中心から離れている端壁には弧状溝が設置され、二つの前記弧状溝が前記回転器を基準とした対称中心に対して対称に形成され、前記ハンドルの下端壁には前記回転器の位置に対して開閉スライド溝が対称に形成され、前記開閉スライド溝の中にはオフ装置が設置され、前記オフ装置は前記フォークのヘッドを収めることができ、
前記回転装置は作動軸を含み、前記作動軸は前記伸縮チャンバの上端壁と回転できるように連結され、前記伸縮チャンバの中には前記長ブロックがスライドできるように連結され、前記作動軸はそれぞれ前記長ブロックの上下端面と、前記回転溝の上下端壁と、前記回転器とスライドできるように連結され、前記長ブロックと前記伸縮チャンバの上端壁にはそれぞれ回転バネが左右対称的に設置され、前記作動軸の上端には連接ロッドが設置され、前記連接ロッドの両端には前記ネジ山溝とスライドできるように連結されている回転球が設置され、前記作動軸が下方へ運動する時、前記回転球は前記回転器の中で螺旋状に下降し、前記作動軸を連動させて回転させ、前記回転器は前記長ブロックと回転できるように連結され、前記作動軸の下端の左右端には前記位置制限溝とスライドできるように連結されている位置制限ブロックが対称的に設置され、これによりフォークを連動させて回転させ、
前記フォーク装置はＴ型ブロックを含み、前記Ｔ型ブロックは前記回転外殻と固定的に連結され、前記Ｔ型ブロックは前記台形環状溝と回転できるように連結され、前記フォークチャンバの上端壁には短ロッドが設置され、前記短ロッドの左右両端には引っ掛かりブロックスライド溝が対称的に設置され、前記フォークチャンバの中にはフォークブロックがスライドできるように連結され、前記フォークブロックの中には内チャンバが設置され、前記内チャンバの左右端壁には前記引っ掛かりブロックスライド溝とスライドできるように連結されている引っ掛かりブロックが対称的に設置され、前記引っ掛かりブロックと前記引っ掛かりブロックスライド溝との間にはフォークバネが連結され、フォークバネの弾力は回転バネの弾力より遥かに大きく、前記フォークブロックの下端面は四つの前記フォークのヘッドと固定的に連結され、前記フォークブロックの上端面には固定ブロックが左右対称的に設置され、前記固定ブロックの中には台形スライド溝が設置され、前記台形スライド溝は台形スライダとスライドできるように連結され、前記台形スライダと前記台形スライド溝との間には台形ブロックバネが連結され、前記固定ブロックは前記固定スライド溝とスライドできるように連結されることができ、前記台形スライダは前記台形ブロック引っ掛かり溝とスライドできるように連結されることができ、前記弧状溝の中には環状溝ブロックが設置され、前記台形スライダは前記台形ブロック引っ掛かり溝の中に引っ掛かる時、前記回転外殻を回転させて前記台形スライダを前記台形ブロック引っ掛かり溝から押し出すことができ、その作用はフォークを取り出すことであり、
前記オフ装置はバネブロックを含み、前記バネブロックと開閉スライド溝との間には復帰バネが連結され、前記バネブロックと前記磁石ブロックとの間にはヒンジ軸がヒンジにより連結され、前記磁石ブロックの下端には磁石が設置され、前記長ブロックは完全に前記伸縮チャンバの中にある時、前記磁石ブロックを引き出し、前記磁石により前記長ブロックを完全に遮り、その作用はフォークを収めて携帯に便利を与えることであり、
使用する時、前記ハンドルを持ってラーメンに挿し、前記フォークのヘッドは皿に当接し、そして前記ハンドルを下方へ押し、前記作動軸が下方へ移動して前記連接ロッドにより前記回転球を連動させて前記ネジ山溝の中で回転させ、これにより前記作動軸を回転させ、前記作動軸は前記位置制限ブロックにより前記回転器を連動させて回転させ、これにより前記短ロッドと、前記フォークブロックと、前記フォークのヘッドとを連動させて回転させてラーメンを巻き上げることを特徴とする携帯しやすいフォーク。
【手続補正２】
【補正対象書類名】明細書
【補正対象項目名】全文
【補正方法】変更
【補正の内容】
【発明の詳細な説明】
【技術分野】
【０００１】
本発明は食器分野を取り上げて、具体的には携帯しやすいフォークである。
【背景技術】
【０００２】
目下、外出する時にカップラーメンを食べる時、カップラーメンのフォークは使いにくく、伝統的なフォークは手動でラーメンに入れ、そしてフォークを回転させてラーメンを撹拌し、次に口に入れ、この操作は面倒であり、フォークを回転し続ける必要があり、子供にとって操作しにくく、普通のフォークを携帯して外出する時、尖った部分は人を傷つけがちである。
【先行技術文献】
【特許文献】
【０００３】
【特許文献１】中国特許出願公開第１０６４７３５４８号明細書
【発明の概要】
【発明が解決しようとする課題】
【０００４】
本発明は携帯しやすいフォークを提供し、上記背景技術において提出された問題を解決することを目的とする。
【課題を解決するための手段】
【０００５】
上記の目的を実現するために、本発明は以下の技術プランを提供する：携帯しやすいフォークは、ハンドルとフォークのヘッドを含み、前記ハンドルの中には伸縮チャンバが設置され、前記伸縮チャンバの中には回転装置が設置され、前記回転装置は前記ハンドルにより下方へ移動し、前記フォークのヘッドを連動させて回転させ、長ブロックの中には伸縮チャンバが設置され、前記伸縮チャンバの内壁にはネジ山溝が設置され、前記長ブロックの下端には回転器が設置され、前記回転器の中には長スライド溝が設置され、前記長スライド溝の左右端壁には位置制限溝が対称的に設置され、前記長ブロックの下端面には台形環状溝が左右対称的に設置され、前記長ブロックの下端面には回転外殻が設置され、前記回転器の中にはフォーク装置が設置され、前記フォーク装置は前記フォークのヘッドを含み、前記フォークのヘッドが回転してラーメンを巻き上げることができ、前記回転器の下端には下方へ開口したフォークチャンバが設置され、前記フォークチャンバの上端壁には固定スライド溝が設置され、前記固定スライド溝のうち前記フォークチャンバの中心から離れている端壁には台形ブロック引っ掛かり溝が設置され、前記台形ブロック引っ掛かり溝のうち前記フォークチャンバの中心から離れている端壁には弧状溝が設置され、二つの前記弧状溝が前記回転器を基準とした対称中心に対して対称に形成され、前記ハンドルの下端壁には前記回転器の位置に対して開閉スライド溝が対称に形成され、前記開閉スライド溝の中にはオフ装置が設置され、前記オフ装置は前記フォークのヘッドを収めることができる。
【０００６】
好ましくは、前記回転装置は作動軸を含み、前記作動軸は前記伸縮チャンバの上端壁と回転できるように連結され、前記伸縮チャンバの中には前記長ブロックがスライドできるように連結され、前記作動軸はそれぞれ前記長ブロックの上下端面と、前記回転溝の上下端壁と、前記回転器とスライドできるように連結され、前記長ブロックと前記伸縮チャンバの上端壁にはそれぞれ回転バネが左右対称的に設置され、前記作動軸の上端には連接ロッドが設置され、前記連接ロッドの両端には前記ネジ山溝とスライドできるように連結されている回転球が設置され、前記作動軸が下方へ運動する時、前記回転球は前記回転器の中で螺旋状に下降し、前記作動軸を連動させて回転させ、前記回転器は前記長ブロックと回転できるように連結され、前記作動軸の下端の左右端には前記位置制限溝とスライドできるように連結されている位置制限ブロックが対称的に設置され、これによりフォークを連動させて回転させる。
【０００７】
好ましくは、前記フォーク装置はＴ型ブロックを含み、前記Ｔ型ブロックは前記回転外殻と固定的に連結され、前記Ｔ型ブロックは前記台形環状溝と回転できるように連結され、前記フォークチャンバの上端壁には短ロッドが設置され、前記短ロッドの左右両端には引っ掛かりブロックスライド溝が対称的に設置され、前記フォークチャンバの中にはフォークブロックがスライドできるように連結され、前記フォークブロックの中には内チャンバが設置され、前記内チャンバの左右端壁には前記引っ掛かりブロックスライド溝とスライドできるように連結されている引っ掛かりブロックが対称的に設置され、前記引っ掛かりブロックと前記引っ掛かりブロックスライド溝との間にはフォークバネが連結され、フォークバネの弾力は回転バネの弾力より遥かに大きく、前記フォークブロックの下端面は四つの前記フォークのヘッドと固定的に連結され、前記フォークブロックの上端面には固定ブロックが左右対称的に設置され、前記固定ブロックの中には台形スライド溝が設置され、前記台形スライド溝は台形スライダとスライドできるように連結され、前記台形スライダと前記台形スライド溝との間には台形ブロックバネが連結され、前記固定ブロックは前記固定スライド溝とスライドできるように連結されることができ、前記台形スライダは前記台形ブロック引っ掛かり溝とスライドできるように連結されることができ、前記弧状溝の中には環状溝ブロックが設置され、前記台形スライダは前記台形ブロック引っ掛かり溝の中に引っ掛かる時、前記回転外殻を回転させて前記台形スライダを前記台形ブロック引っ掛かり溝から押し出すことができ、その作用はフォークを取り出すことである。
【０００８】
好ましくは、前記オフ装置はバネブロックを含み、前記バネブロックと開閉スライド溝との間には復帰バネが連結され、前記バネブロックと前記磁石ブロックとの間にはヒンジ軸がヒンジにより連結され、前記磁石ブロックの下端には磁石が設置され、前記長ブロックは完全に前記伸縮チャンバの中にある時、前記磁石ブロックを引き出し、前記磁石により前記長ブロックを完全に遮り、その作用はフォークを収めて携帯に便利を与えることである。
【発明の効果】
【０００９】
以上のように、本発明の有益的な効果は：本装置は上下に押し出すことによりラーメンの取ることを自動的に完成し、伝統的なフォークでラーメンを食べる時に操作が面倒である欠点を解消でき、同時に本装置は尖った部分を完全に収めることができ、本装置を携帯して外出する時に使用者を傷つけにくく、本装置は機械の伝動の協働により、ミスが出る可能性を低下させることができる。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の携帯しやすいフォークの正面構成模式図
【図２】図２は本発明の図１のＡの局部拡大図
【図３】図３は本発明の図１のＢ−Ｂ方向の断面図
【図４】図４は本発明の図１の中の右側の台形スライダの上面図
【図５】図５は本発明の全体構造模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜５を参照し、本発明の提供する実施例の  携帯しやすいフォークは：ハンドル２１とフォークのヘッド４７を含み、前記ハンドル２１の中には伸縮チャンバ２２が設置され、前記伸縮チャンバ２２の中には回転装置１０１が設置され、前記回転装置１０１は前記ハンドル２１により下方へ移動し、前記フォークのヘッド４７を連動させて回転させ、長ブロック２３の中には伸縮チャンバ２２が設置され、前記伸縮チャンバ２２の内壁にはネジ山溝３８が設置され、前記長ブロック２３の下端には回転器２８が設置され、前記回転器２８の中には長スライド溝３１が設置され、前記長スライド溝３１の左右端壁には位置制限溝３０が対称的に設置され、前記長ブロック２３の下端面には台形環状溝５５が左右対称的に設置され、前記長ブロック２３の下端面には回転外殻５８が設置され、前記回転器２８の中にはフォーク装置１０２が設置され、前記フォーク装置１０２は前記フォークのヘッド４７を含み、前記フォークのヘッド４７が回転してラーメンを巻き上げることができ、前記回転器２８の下端には下方へ開口したフォークチャンバ４２が設置され、前記フォークチャンバ４２の上端壁には固定スライド溝５２が設置され、前記固定スライド溝５２のうち前記フォークチャンバ４２の中心から離れている端壁には台形ブロック引っ掛かり溝５３が設置され、前記台形ブロック引っ掛かり溝５３のうち前記フォークチャンバ４２の中心から離れている端壁には弧状溝５４が設置され、二つの前記弧状溝５４が前記回転器２８を基準とした対称中心に対して対称に形成され、前記ハンドル２１の下端壁には前記回転器２８の位置に対して開閉スライド溝３７が対称に形成され、前記開閉スライド溝３７の中にはオフ装置１０３が設置され、前記オフ装置１０３は前記フォークのヘッド４７を収めることができる。
【００１５】
有益的には、前記回転装置１０１は作動軸３９を含み、前記作動軸３９は前記伸縮チャンバ２２の上端壁と回転できるように連結され、前記伸縮チャンバ２２の中には前記長ブロック２３がスライドできるように連結され、前記作動軸３９はそれぞれ前記長ブロック２３の上下端面と、前記回転溝２４の上下端壁と、前記回転器２８とスライドできるように連結され、前記長ブロック２３と前記伸縮チャンバ２２の上端壁にはそれぞれ回転バネ４０が左右対称的に設置され、前記作動軸３９の上端には連接ロッド２６が設置され、前記連接ロッド２６の両端には前記ネジ山溝３８とスライドできるように連結されている回転球２５が設置され、前記作動軸３９が下方へ運動する時、前記回転球２５は前記回転器２８の中で螺旋状に下降し、前記作動軸３９を連動させて回転させ、前記回転器２８は前記長ブロック２３と回転できるように連結され、前記作動軸３９の下端の左右端には前記位置制限溝３０とスライドできるように連結されている位置制限ブロック２９が対称的に設置され、これによりフォークを連動させて回転させる。
【００１６】
有益的には、前記フォーク装置１０２はＴ型ブロック４１を含み、前記Ｔ型ブロック４１は前記回転外殻５８と固定的に連結され、前記Ｔ型ブロック４１は前記台形環状溝５５と回転できるように連結され、前記フォークチャンバ４２の上端壁には短ロッド５１が設置され、前記短ロッド５１の左右両端には引っ掛かりブロックスライド溝５０が対称的に設置され、前記フォークチャンバ４２の中にはフォークブロック４８がスライドできるように連結され、前記フォークブロック４８の中には内チャンバ６０が設置され、前記内チャンバ６０の左右端壁には前記引っ掛かりブロックスライド溝５０とスライドできるように連結されている引っ掛かりブロック４９が対称的に設置され、前記引っ掛かりブロック４９と前記引っ掛かりブロックスライド溝５０との間にはフォークバネ５９が連結され、フォークバネ５９の弾力は回転バネ４０の弾力より遥かに大きく、前記フォークブロック４８の下端面は四つの前記フォークのヘッド４７と固定的に連結され、前記フォークブロック４８の上端面には固定ブロック４６が左右対称的に設置され、前記固定ブロック４６の中には台形スライド溝４４が設置され、前記台形スライド溝４４は台形スライダ４３とスライドできるように連結され、前記台形スライダ４３と前記台形スライド溝４４との間には台形ブロックバネ４５が連結され、前記固定ブロック４６は前記固定スライド溝５２とスライドできるように連結されることができ、前記台形スライダ４３は前記台形ブロック引っ掛かり溝５３とスライドできるように連結されることができ、前記弧状溝５４の中には環状溝ブロック５６が設置され、前記台形スライダ４３は前記台形ブロック引っ掛かり溝５３の中に引っ掛かる時、前記回転外殻５８を回転させて前記台形スライダ４３を前記台形ブロック引っ掛かり溝５３から押し出すことができ、その作用はフォークを取り出すことである。
【００１７】
有益的には、前記オフ装置１０３はバネブロック３５を含み、前記バネブロック３５と開閉スライド溝３７との間には復帰バネ３６が連結され、前記バネブロック３５と前記磁石ブロック３３との間にはヒンジ軸３４がヒンジにより連結され、前記磁石ブロック３３の下端には磁石３２が設置され、前記長ブロック２３は完全に前記伸縮チャンバ２２の中にある時、前記磁石ブロック３３を引き出し、前記磁石３２により前記長ブロック２３を完全に遮り、その作用はフォークを収めて携帯に便利を与えることである。
【００１８】
使用する時、ハンドル２１を持ってラーメンに挿し、フォークのヘッド４７は皿に当接し、そしてハンドル２１を下方へ押し、作動軸３９が下方へ移動して連接ロッド２６により回転球２５を連動させてネジ山溝３８の中で回転させ、これにより作動軸３９を回転させ、作動軸３９は位置制限ブロック２９により回転器２８を連動させて回転させ、これにより短ロッド５１と、フォークブロック４８と、フォークのヘッド４７とを連動させて回転させてラーメンを巻き上げ、携帯する時、フォークのヘッド４７を上方へ推し、これにより台形スライダ４３を台形ブロック引っ掛かり溝５３に引っ掛からせ、そして回転器２８を伸縮チャンバ２２の中に引っ掛からせ、そして磁石ブロック３３とバネブロック３５とを引き出し、磁石ブロック３３を回転させて磁石３２により長ブロック２３を完全に遮り、使用する時、磁石３２を引き動かし、回転器２８を弾き出し、そして回転外殻５８を回転させ、環状溝ブロック５６により台形スライダ４３を台形ブロック引っ掛かり溝５３から押し出し、フォークのヘッド４７は自動的に弾きだされる。
【００１９】
本発明の有益的な効果は：本装置は上下に押し出すことによりラーメンの取ることを自動的に完成し、伝統的なフォークでラーメンを食べる時に操作が面倒である欠点を解消でき、同時に本装置は尖った部分を完全に収めることができ、本装置を携帯して外出する時に使用者を傷つけにくく、本装置は機械の伝動の協働により、ミスが出る可能性を低下させることができる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。